(57)【要約】【課題】サンバイザーに携帯電話機能を兼備させて、サンバイザーの付加価値を高めるサンバイザー携帯電話モジュールを提供する。【解決手段】サンバイザー携帯電話モジュールは、自動車内で折り畳めるサンバイザー１、操作インタフェース１２、液晶表示モジュール１１、回路基板１４を備える。サンバイザー１上には操作インタフェース１２および液晶表示モジュール１１が設けられるとともに、サンバイザー１内に回路基板１４が設けられ、該回路基板１４上に制御回路が設けられるとともに、液晶表示モジュール１１と操作インタフェース１２とにそれぞれ接続される。これにより、サンバイザーに携帯電話機能を兼備させてサンバイザーの付加価値を高める。また、本考案は．サンバイザー１の内面に弾性を有する接続素子子を設けることにより異なる形式の薄型携帯電話をその上に設置させ、これにより、自動車がない者や自動車がある者に更に多くの選択を提供することができる。【選択図】図３
0003112339.tif 000002
【実用新案登録請求の範囲】
【請求項１】
サンバイザー、操作インタフェース、液晶表示モジュールおよび回路基板を備え、
前記操作インタフェースは前記サンバイザー上に設けられ、
前記液晶表示モジュールは前記サンバイザー上に設けられ、
前記回路基板は、前記サンバイザー内に設けられ、前記回路基板上に携帯電話制御回路が設けられ、前記携帯電話制御回路が前記液晶表示モジュールと前記操作インタフェースとにそれぞれに接続されることを特徴とするサンバイザー携帯電話モジュール。
【請求項２】
前記サンバイザー上に薄型携帯電話を接続するための接続素子が設けられていることを特徴とする請求項１に記載のサンバイザー携帯電話モジュール。
【請求項３】
前記サンバイザー上に薄型携帯電話を接着するための接着素子が設けられていることを特徴とする請求項１に記載のサンバイザー携帯電話モジュール。
【請求項４】
前記携帯電話制御回路は、メモリユニット、無線伝送モジュール、マイク、電池、ＳＩＭカード、スピーカー、前記液晶表示モジュールおよび前記操作インタフェースに接続された中央処理装置ユニットからなることを特徴とする請求項１に記載のサンバイザー携帯電話モジュール。
【請求項５】
前記サンバイザーは、自動車内で折り畳むことのできるサンバイザーであることを特徴とする請求項１に記載のサンバイザー携帯電話モジュール。
【考案の詳細な説明】
【技術分野】
【０００１】
本考案は、サンバイザー携帯電話モジュールに関し、特にサンバイザーが携帯電話の機能を兼備えた構造に関する。
【背景技術】
【０００２】
サンバイザー（sun visor）は太陽光の輻射を防ぎ、反射光の発生を防ぎ、建築外観の影美学効果などを備える。図１に示すように、自動車の車内で使用するサンバイザー１ａは、太陽の直接光を遮るために、一般に隔熱機能を備えている。
【０００３】
または図２に示すように、自動車用サンバイザー１ａ上に液晶表示モジュール１０ａを設けることにより、ビデオ信号を受信して液晶スクリーン上に映像を表示してスピーカー孔から音声を放出する。これらのことから分かるように、サンバイザーへ付加価値を加えることが行われてきたが、自動車用サンバイザーに携帯電話を組み合わる構造は未だ提供されていない。
【考案の開示】
【考案が解決しようとする課題】
【０００４】
本考案の第１の目的は、サンバイザーに付加価値を与え、消費者に更に多くの選択を提供するために、自動車のサンバイザーに携帯電話の機能を兼ね備えた構造を提供することにある。
本考案の第２の目的は、自動車用サンバイザーの完成品が出荷されると同時に携帯電話の機能を有する構造を提供することにある。
本考案の第３の目的は、既に自動車を所有している人が薄型の携帯電話を別に購買して、サンバイザー上の構造に設置できるサンバイザー携帯電話モジュールを提供することにある。
【課題を解決するための手段】
【０００５】
上述の目的を達成するため、本考案は従来のサンバイザーと異なるモジュールを提供する。本考案のサンバイザー携帯電話モジュールは、サンバイザー、操作インタフェース、液晶表示モジュール、回路基板および電源供給モジュールを備える。操作インタフェースはサンバイザー上に設けられる。液晶表示モジュールはサンバイザー上に設けられる。回路基板は、サンバイザー内に設けられ、その回路基板上には制御回路が設けられ、その制御回路は液晶表示モジュールと操作インタフェースとにそれぞれ接続される。電源供給モジュールは前述の構成素子に動作電力を供給する。サンバイザー上には弾性を有する接続素子を設けて薄型携帯電話を設ける。またサンバイザー上に薄型携帯電話を接着するための接着素子が設けられている。そしてそのサンバイザーは、自動車内で折り畳んでしまうことのできるサンバイザーである。
【考案の効果】
【０００６】
本考案は、簡便な設計によりサンバイザーに携帯電話機能を兼備させ、サンバイザーの付加価値を高めて消費者により多くの選択を提供する。自動車をこれから購入する者は携帯電話の機能が内蔵された自動車用サンバイザーを選択することができ、既に自動車を保有している者は、薄型携帯電話を別に購入して自動車用サンバイザーに設けることができる。
【考案を実施するための最良の形態】
【０００７】
図３および図４は、本実施形態のサンバイザー携帯電話モジュールを示し、折って収めることのできるサンバイザー１上には、液晶表示モジュール１１、操作携帯電話機能の操作インタフェース１２およびスピーカー孔１３が設けられている。操作インタフェース１２には、文字、数字符号キイおよび移動などの機能キイが含まれ、サンバイザー１内には回路基板１４が設けられ、この回路基板１４は、メモリユニット１４２、無線伝送モジュール１４３、マイク１４４、電池１４５、ＳＩＭカード１４６、スピーカー１４７、液晶表示モジュール１１および操作インタフェース１２などと接続された中央処理装置ユニット１４１からなる。
【０００８】
サンバイザー１の操作インタフェース１２がオンされると、ユーザが入力した機能キイ状態を中央処理装置ユニット１４１が検知して対応する作業を執行し、例えば、文字符号の取得やメッセージの送信などといった機能を得る。
【０００９】
この操作インタフェース１２をサンバイザー１上で使用しないときは、サンバイザー１を隔熱のために使用するか適当な位置へしまう。そして、使用するときに再び適当な位置まで取出すことができる。そのため、サンバイザーの完成品は、自動車が出荷されるときに携帯電話の機能を兼備えさせることもできる。
【００１０】
図５は、本考案の第２実施形態を示す分解斜視図である。図示するように、一般のサンバイザー１の内側には弾性を有する接続素子１５が設けられ、ユーザは薄型携帯電話２を接続素子１５上へ直接に設けて使用することができる。自動車を保有している場合は、薄型携帯電話２を選択して別に購入し、サンバイザー１へ直接一緒に設置してもよい。本実施形態の接続素子１５にはホルダー素子が採用されている。
【００１１】
図６は、本考案の第３実施形態を示す分解斜視図である。これは一般のサンバイザー１の内面にマジックテープ（登録商標）１６などの接着素子などを設けて、薄型携帯電話２がサンバイザー１上へ直接に貼れることができるようにしたものである。
【００１２】
添付図面に示す実施態様を前述の通り詳しく説明したが、これらは本考案を単に説明しただけであり、本考案の権利範囲を何ら制限するものではない。
【図面の簡単な説明】
【００１３】
【図１】従来技術に係る自動車用サンバイザーを示す斜視図である。
【図２】従来技術に係る自動車用サンバイザーの表示装置を示す外観図である。
【図３】本考案の一実施形態を示す概略図である。
【図４】本考案の一実施形態による携帯電話の内部回路を示す模式図である。
【図５】本考案の第二実施例を示す分解斜視図である。
【図６】本考案の第三実施例を示す分解斜視図である。
【符号の説明】
【００１４】
１  サンバイザー
１１  液晶表示モジュール
１２  操作インタフェース
１３  スピーカー孔
１４  回路基板
１４１  中央処理装置ユニット
１４２  メモリユニット
１４３  無線伝送モジュール
１４４  マイク
１４５  電池
１４６  ＳＩＭカード
１４７  スピーカー
１５  接続素子
１６  接着素子
２  薄型携帯電話
【図１】
0003112339.tif 000003
【図２】
0003112339.tif 000004
【図３】
0003112339.tif 000005
【図４】
0003112339.tif 000006
【図５】
0003112339.tif 000007
【図６】
0003112339.tif 000008